【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
少なくとも１つの固化防止剤成分と、構造式Ｉ
【化１】
2007509196.tif 000001
〔式中、Ｒ１、Ｒ２、Ｒ３、Ｒ４、Ｒ５、Ｒ６、Ｒ７、Ｒ８、Ｒ９、及びＲ１０は水素、Ｃ１〜Ｃ９アルキル、ヒドロキシ、Ｃ１〜Ｃ９アルコキシ、Ｃ１〜Ｃ９アルキレンオキシ、アミン、及びＣ１〜Ｃ９アルキルアミン、ハロゲン、フェニル、アルキルフェニル、及び最大９個の炭素原子を有するジェミナルまたはビシナルの炭素環から成る群から個々に選択され、Ｒ’及びＲ”は同一かまたは異なり、水素、Ｃ１〜Ｃ３０アルキル、ヒドロキシ、アミン、ポリアミン、ポリオキシアミン、Ｃ１〜Ｃ３０アルキルアミン、フェニル、ハロゲン、Ｃ１〜Ｃ３０アルコキシ、Ｃ１〜Ｃ３０ポリオキシアルキル、Ｃ（Ｏ）−ＮＲ１１Ｃ（Ｏ）Ｏ−Ｒ’’’、及びＣ（Ｏ）Ｏ−Ｒ’’’から成る群から個々に選択され、Ｒ１１はＣ１〜Ｃ３０アルキル、水素、Ｃ１〜Ｃ３０アルコキシ、及びＣ１〜Ｃ３０ポリオキシアルキルから成る群から選択され、Ｒ’’’は水素、金属イオン、有機カチオン、ポリオキシ−Ｃ２〜Ｃ１８−アルキレン、Ｃ１〜Ｃ３０アルキル、Ｃ１〜Ｃ３０アルキレン、Ｃ１〜Ｃ３０アルキレンオキシ、ステロイド部分、フェニル、ポリフェニル、Ｃ１〜Ｃ３０ハロゲン化アルキル、及びＣ１〜Ｃ３０アルキルアミンから成る群から選択され、Ｒ’及びＲ”の少なくとも１つはＣ（Ｏ）−ＮＲ１１Ｃ（Ｏ）Ｏ−Ｒ’’’またはＣ（Ｏ）Ｏ−Ｒ’’’であり、Ｒ’及びＲ”の両方がＣ（Ｏ）Ｏ−Ｒ’’’である場合、Ｒ’及びＲ”の両方のＲ’’’が単一の二価金属イオンまたは単一の三価金属オーバーベースに一体化されてもよい〕
で示される少なくとも１つの化合物を含む、熱可塑性プラスチック添加剤組成物。
【請求項２】
前記造核化合物が構造式ＩＩ
【化２】
2007509196.tif 000002
〔式中、Ｍ１及びＭ２は同一かまたは異なり、金属カチオンまたは有機カチオンから成る群から独立して選択されるか、または該２つの金属イオンは単一の金属イオンにまとめられ、Ｒ１、Ｒ２、Ｒ３、Ｒ４、Ｒ５、Ｒ６、Ｒ７、Ｒ８、Ｒ９、及びＲ１０は水素、Ｃ１〜Ｃ９アルキル、ヒドロキシ、Ｃ１〜Ｃ９アルコキシ、Ｃ１〜Ｃ９アルキレンオキシ、アミン、及びＣ１〜Ｃ９アルキルアミン、ハロゲン、フェニル、アルキルフェニル、及び最大９個の炭素原子を有するジェミナルまたはビシナルの炭素環から成る群から個々に選択される〕
で示される、請求項１に記載の調製物。
【請求項３】
前記金属カチオンまたは有機カチオンが、グループＩ及びグループＩＩの金属イオンから成る群から選択された金属カチオンである、請求項１または２に記載の調製物。
【請求項４】
前記金属カチオンが、ナトリウム、カリウム、カルシウム、リチウム、ルビジウム、バリウム、マグネシウム、ストロンチウム、銀、亜鉛、及びアルミニウムから成る群から選択される、請求項３に記載の調製物。
【請求項５】
前記金属カチオンがナトリウムである、請求項４に記載の調製物。
【請求項６】
前記固化防止剤が、シリカゲル、タルク、ジヒドロタルサイト、金属カルボン酸、及びこれらの任意の混合物から選択される、請求項１に記載の調製物。
【請求項７】
前記固化防止剤がシリカゲルである請求項６に記載の調製物。
【請求項８】
請求項１、２または６に記載の調製物と少なくとも１つのポリオレフィンを含む熱可塑性プラスチック物品。
【請求項９】
前記ポリオレフィンがポリプロピレンである、請求項８に記載の熱可塑性プラスチック物品。
【請求項１０】
前記調製物が粉末、ペレット、または液体から成る群から選択される形態で存在し、前記組成物が少なくとも１つの熱可塑性プラスチックポリマーをも含む、請求項１、２または６に記載のポリマー添加剤調製物。
【請求項１１】
構造式Ｉ
【化４】
2007509196.tif 000003
〔式中、Ｒ１、Ｒ２、Ｒ３、Ｒ４、Ｒ５、Ｒ６、Ｒ７、Ｒ８、Ｒ９、及びＲ１０は水素、Ｃ１〜Ｃ９アルキル、ヒドロキシ、Ｃ１〜Ｃ９アルコキシ、Ｃ１〜Ｃ９アルキレンオキシ、アミン、及びＣ１〜Ｃ９アルキルアミン、ハロゲン、フェニル、アルキルフェニル、及び最大９個の炭素原子を有するジェミナルまたはビシナルの炭素環から成る群から個々に選択され、Ｒ’及びＲ”は同一かまたは異なり、水素、Ｃ１〜Ｃ３０アルキル、ヒドロキシ、アミン、ポリアミン、ポリオキシアミン、Ｃ１〜Ｃ３０アルキルアミン、フェニル、ハロゲン、Ｃ１〜Ｃ３０アルコキシ、Ｃ１〜Ｃ３０ポリオキシアルキル、Ｃ（Ｏ）−ＮＲ１１Ｃ（Ｏ）Ｏ−Ｒ’’’、及びＣ（Ｏ）Ｏ−Ｒ’’’から成る群から個々に選択され、Ｒ１１はＣ１〜Ｃ３０アルキル、水素、Ｃ１〜Ｃ３０アルコキシ、及びＣ１〜Ｃ３０ポリオキシアルキルから成る群から選択され、Ｒ’’’は水素、金属イオン、有機カチオン、ポリオキシ−Ｃ２〜Ｃ１８−アルキレン、Ｃ１〜Ｃ３０アルキル、Ｃ１〜Ｃ３０アルキレン、Ｃ１〜Ｃ３０アルキレンオキシ、ステロイド部分、フェニル、ポリフェニル、Ｃ１〜Ｃ３０ハロゲン化アルキル、及びＣ１〜Ｃ３０アルキルアミンから成る群から選択され、Ｒ’及びＲ”の少なくとも１つはＣ（Ｏ）−ＮＲ１１Ｃ（Ｏ）Ｏ−Ｒ’’’またはＣ（Ｏ）Ｏ−Ｒ’’’であり、Ｒ’とＲ”の両方がＣ（Ｏ）Ｏ−Ｒ’’’である場合、Ｒ’及びＲ”の両方のＲ’’’が単一の二価金属イオンまたは単一の三価金属オーバーベースに一体化されてもよい〕
で示される少なくとも１つの小粒度核剤化合物と、少なくとも１つの固化防止剤を含む、熱可塑性プラスチック。
【請求項１２】
前記小粒度造核化合物が構造式ＩＩ
【化５】
2007509196.tif 000004
〔式中、Ｍ１及びＭ２は同一かまたは異なり、金属カチオンまたは有機カチオンから成る群から独立して選択されるか、または該２つの金属イオンは単一の金属イオンにまとめられ、Ｒ１、Ｒ２、Ｒ３、Ｒ４、Ｒ５、Ｒ６、Ｒ７、Ｒ８、Ｒ９、及びＲ１０は水素、Ｃ１〜Ｃ９アルキル、ヒドロキシ、Ｃ１〜Ｃ９アルコキシ、Ｃ１〜Ｃ９アルキレンオキシ、アミン、及びＣ１〜Ｃ９アルキルアミン、ハロゲン、フェニル、アルキルフェニル、及び最大９個の炭素原子を有するジェミナルまたはビシナルの炭素環から成る群から個々に選択される〕
で示される、請求項１１に記載の調製物。
【請求項１３】
前記金属カチオンまたは有機カチオンが、グループＩ及びグループＩＩの金属イオンから成る群から選択される金属カチオンである、請求項１１に記載の調製物。
【請求項１４】
前記金属カチオンが、ナトリウム、カリウム、カルシウム、リチウム、ルビジウム、バリウム、マグネシウム、ストロンチウム、銀、亜鉛、及びアルミニウムから成る群から選択される、請求項１３に記載の調製物。
【請求項１５】
前記金属カチオンがナトリウムである、請求項１４に記載の調製物。
【請求項１６】
前記固化防止剤が、シリカゲル、タルク、ジヒドロタルサイト、金属カルボン酸、及びこれらの任意の混合物から選択される、請求項１１に記載の熱可塑性プラスチック。
【請求項１７】
前記固化防止剤がシリカゲルである、請求項１６に記載の熱可塑性プラスチック。
【請求項１８】
前記熱可塑性プラスチックがポリオレフィンを含む、請求項１１、１２または１６に記載の熱可塑性プラスチック物品。
【請求項１９】
前記ポリオレフィンがポリプロピレンである、請求項１８に記載の熱可塑性プラスチック物品。
【手続補正２】
【補正対象書類名】明細書
【補正対象項目名】００１２
【補正方法】変更
【補正の内容】
【００１２】
〔式中、Ｒ１、Ｒ２、Ｒ３、Ｒ４、Ｒ５、Ｒ６、Ｒ７、Ｒ８、Ｒ９、及びＲ１０は水素、Ｃ１〜Ｃ９アルキル、ヒドロキシ、Ｃ１〜Ｃ９アルコキシ、Ｃ１〜Ｃ９アルキレンオキシ、アミン、及びＣ１〜Ｃ９アルキルアミン、ハロゲン、フェニル、アルキルフェニル、及び最大９個の炭素原子を有するジェミナルまたはビシナルの炭素環から成る群から個々に選択され、Ｒ’及びＲ”は同一かまたは異なり、水素、Ｃ１〜Ｃ３０アルキル、ヒドロキシ、アミン、ポリアミン、ポリオキシアミン、Ｃ１〜Ｃ３０アルキルアミン、フェニル、ハロゲン、Ｃ１〜Ｃ３０アルコキシ、Ｃ１〜Ｃ３０ポリオキシアルキル、Ｃ（Ｏ）−ＮＲ１１Ｃ（Ｏ）Ｏ−Ｒ’’’、及びＣ（Ｏ）Ｏ−Ｒ’’’から成る群から個々に選択され、Ｒ１１はＣ１〜Ｃ３０アルキル、水素、Ｃ１〜Ｃ３０アルコキシ、及びＣ１〜Ｃ３０ポリオキシアルキルから成る群から選択され、Ｒ’’’は水素、金属イオン（制限無くＮａ＋、Ｋ＋、Ｌｉ＋、Ａｇ＋及びその他の一価イオン等）、有機カチオン（１つの限定されない例としてアンモニウム等）、ポリオキシ−Ｃ２〜Ｃ１８−アルキレン、Ｃ１〜Ｃ３０アルキル、Ｃ１〜Ｃ３０アルキレン、Ｃ１〜Ｃ３０アルキレンオキシ、ステロイド部分（例えばコレステロール）、フェニル、ポリフェニル、Ｃ１〜Ｃ３０ハロゲン化アルキル、及びＣ１〜Ｃ３０アルキルアミンから成る群から選択され、Ｒ’及びＲ”の少なくとも１つはＣ（Ｏ）−ＮＲ１１Ｃ（Ｏ）Ｏ−Ｒ’’’またはＣ（Ｏ）Ｏ−Ｒ’’’であり、Ｒ’及びＲ”の両方がＣ（Ｏ）Ｏ−Ｒ’’’である場合、Ｒ’及びＲ”の両方のＲ’’’が単一の二価金属イオン（１つの限定されない例としてＣａ２＋等）または単一の三価金属オーバーベース（１つの限定されない例としてＡｌ−ＯＨ等）に一体化されてもよい。好適には、Ｒ’及びＲ”が同一で、Ｒ’’’がＮａ＋であるか、またはＲ’及びＲ”の両方のＲ’’’が一緒になってＣａ２＋となる。〕
で示される化合物を含む、熱可塑性プラスチック添加剤組成物を包含する。他の考えられる化合物は以下の好適な実施態様で論じる。
【手続補正３】
【補正対象書類名】明細書
【補正対象項目名】００１５
【補正方法】変更
【補正の内容】
【００１５】
〔式中、Ｍ１及びＭ２は同一かまたは異なり、金属カチオンまたは有機カチオンから成る群から独立して選択されるか、または該２つの金属イオンは単一の金属イオンにまとめられ（二価、例えばカルシウム等）、Ｒ１、Ｒ２、Ｒ３、Ｒ４、Ｒ５、Ｒ６、Ｒ７、Ｒ８、Ｒ９、及びＲ１０は水素、Ｃ１〜Ｃ９アルキル、ヒドロキシ、Ｃ１〜Ｃ９アルコキシ、Ｃ１〜Ｃ９アルキレンオキシ、アミン、及びＣ１〜Ｃ９アルキルアミン、ハロゲン、フェニル、アルキルフェニル、及び最大９個の炭素原子を有するジェミナルまたはビシナルの炭素環から成る群から個々に選択される。好適には、金属カチオンはカルシウム、ストロンチウム、バリウム、マグネシウム、アルミニウム、銀、ナトリウム、リチウム、ルビジウム、カリウム等から成る群から選択される〕
で示される。その範囲内で、グループＩ及びグループＩＩの金属イオンが一般的に好適である。グループＩ及びグループＩＩのカチオンのなかでは、ナトリウム、カリウム、カルシウム、及びストロンチウムが好適であり、ナトリウム及びカルシウムが最も好適である。さらに、Ｍ１基及びＭ２基は、一緒になって単一の金属カチオン（例えばカルシウム、ストロンチウム、バリウム、マグネシウム、一塩基性アルミニウムを含むアルミニウム等）を形成してもよい。本発明はこのような化合物の立体化学配置を全て包含するが、シス型立体配置が好適であり、シス−エンドが最も好適な実施態様である。飽和二環式カルボン酸塩として広く述べられた少なくとも１つのこのような化合物を含む、好適な実施態様のポリオレフィン物品、及びポリオレフィン調製物のための添加剤組成物もまた、本発明の範囲に包含される。
【手続補正４】
【補正対象書類名】明細書
【補正対象項目名】００５８
【補正方法】変更
【補正の内容】
【００５８】
本発明を詳細に記載してきたので、当業者が本発明の範囲から逸脱することなくそれに変化や改善を加えることが可能であることは明らかである。従って、本発明の範囲は添付した請求の範囲によってのみ決定されるべきである。
本発明の好適な実施態様には、以下のものが含まれる。
〔１〕  少なくとも１つの固化防止剤成分と、構造式Ｉ
【化１】
2007509196.tif 000005
〔式中、Ｒ１、Ｒ２、Ｒ３、Ｒ４、Ｒ５、Ｒ６、Ｒ７、Ｒ８、Ｒ９、及びＲ１０は水素、Ｃ１〜Ｃ９アルキル、ヒドロキシ、Ｃ１〜Ｃ９アルコキシ、Ｃ１〜Ｃ９アルキレンオキシ、アミン、及びＣ１〜Ｃ９アルキルアミン、ハロゲン、フェニル、アルキルフェニル、及び最大９個の炭素原子を有するジェミナルまたはビシナルの炭素環から成る群から個々に選択され、Ｒ’及びＲ”は同一かまたは異なり、水素、Ｃ１〜Ｃ３０アルキル、ヒドロキシ、アミン、ポリアミン、ポリオキシアミン、Ｃ１〜Ｃ３０アルキルアミン、フェニル、ハロゲン、Ｃ１〜Ｃ３０アルコキシ、Ｃ１〜Ｃ３０ポリオキシアルキル、Ｃ（Ｏ）−ＮＲ１１Ｃ（Ｏ）Ｏ−Ｒ’’’、及びＣ（Ｏ）Ｏ−Ｒ’’’から成る群から個々に選択され、Ｒ１１はＣ１〜Ｃ３０アルキル、水素、Ｃ１〜Ｃ３０アルコキシ、及びＣ１〜Ｃ３０ポリオキシアルキルから成る群から選択され、Ｒ’’’は水素、金属イオン（制限無くＮａ＋、Ｋ＋、Ｌｉ＋、Ａｇ＋及びその他の一価イオン等）、有機カチオン（１つの限定されない例としてアンモニウム等）、ポリオキシ−Ｃ２〜Ｃ１８−アルキレン、Ｃ１〜Ｃ３０アルキル、Ｃ１〜Ｃ３０アルキレン、Ｃ１〜Ｃ３０アルキレンオキシ、ステロイド部分（例えばコレステロール）、フェニル、ポリフェニル、Ｃ１〜Ｃ３０ハロゲン化アルキル、及びＣ１〜Ｃ３０アルキルアミンから成る群から選択され、Ｒ’及びＲ”の少なくとも１つはＣ（Ｏ）−ＮＲ１１Ｃ（Ｏ）Ｏ−Ｒ’’’またはＣ（Ｏ）Ｏ−Ｒ’’’であり、Ｒ’及びＲ”の両方がＣ（Ｏ）Ｏ−Ｒ’’’である場合、Ｒ’及びＲ”の両方のＲ’’’が単一の二価金属イオン（１つの限定されない例としてＣａ２＋等）または単一の三価金属オーバーベース（１つの限定されない例としてＡｌ−ＯＨ等）に一体化されてもよい〕
で示される少なくとも１つの化合物を含む、熱可塑性プラスチック添加剤組成物。
〔２〕  前記造核化合物が構造式ＩＩ
【化２】
2007509196.tif 000006
〔式中、Ｍ１及びＭ２は同一かまたは異なり、金属カチオンまたは有機カチオンから成る群から独立して選択されるか、または該２つの金属イオンは単一の金属イオンにまとめられ（二価、例えばカルシウム等）、Ｒ１、Ｒ２、Ｒ３、Ｒ４、Ｒ５、Ｒ６、Ｒ７、Ｒ８、Ｒ９、及びＲ１０は水素、Ｃ１〜Ｃ９アルキル、ヒドロキシ、Ｃ１〜Ｃ９アルコキシ、Ｃ１〜Ｃ９アルキレンオキシ、アミン、及びＣ１〜Ｃ９アルキルアミン、ハロゲン、フェニル、アルキルフェニル、及び最大９個の炭素原子を有するジェミナルまたはビシナルの炭素環から成る群から個々に選択され、好ましくは、金属カチオンはカルシウム、ストロンチウム、バリウム、マグネシウム、アルミニウム、銀、ナトリウム、リチウム、ルビジウム、カリウム等から成る群から選択される〕
で示される、上記〔１〕に記載の調製物。
〔３〕  前記金属カチオンまたは有機カチオンが、グループＩ及びグループＩＩの金属イオンから成る群から選択された金属カチオンである、上記〔１〕に記載の調製物。
〔４〕  前記金属カチオンが、ナトリウム、カリウム、カルシウム、リチウム、ルビジウム、バリウム、マグネシウム、ストロンチウム、銀、亜鉛、及びアルミニウムから成る群から選択される、上記〔３〕に記載の調製物。
〔５〕  前記金属カチオンがナトリウムである、上記〔４〕に記載の調製物。
〔６〕  前記造核化合物が構造式ＩＩ
【化３】
2007509196.tif 000007
〔式中、Ｍ１及びＭ２は同一かまたは異なり、金属カチオンまたは有機カチオンから成る群から独立して選択されるか、または該２つの金属イオンは単一の金属イオンにまとめられ（二価、例えばカルシウム等）、Ｒ１、Ｒ２、Ｒ３、Ｒ４、Ｒ５、Ｒ６、Ｒ７、Ｒ８、Ｒ９、及びＲ１０は水素、Ｃ１〜Ｃ９アルキル、ヒドロキシ、Ｃ１〜Ｃ９アルコキシ、Ｃ１〜Ｃ９アルキレンオキシ、アミン、及びＣ１〜Ｃ９アルキルアミン、ハロゲン、フェニル、アルキルフェニル、及び最大９個の炭素原子を有するジェミナルまたはビシナルの炭素環から成る群から個々に選択される〕
で示される、上記〔２〕に記載の調製物。
〔７〕  前記金属カチオンまたは有機カチオンが、グループＩ及びグループＩＩの金属イオンから成る群から選択される金属カチオンである、上記〔６〕に記載の調製物。
〔８〕  前記金属カチオンが、ナトリウム、カリウム、カルシウム、リチウム、ルビジウム、バリウム、マグネシウム、ストロンチウム、銀、亜鉛、及びアルミニウムから成る群から選択される、上記〔７〕に記載の調製物。
〔９〕  前記金属カチオンがナトリウムである、上記〔８〕に記載の調製物。
〔１０〕  前記固化防止剤が、シリカゲル、タルク、ジヒドロタルサイト、金属カルボン酸、及びこれらの任意の混合物から選択される、上記〔１〕に記載の調製物。
〔１１〕  前記固化防止剤がシリカゲルである上記〔１０〕に記載の調製物。
〔１２〕  上記〔１〕に記載の調製物と少なくとも１つのポリオレフィンを含む熱可塑性プラスチック物品。
〔１３〕  上記〔２〕に記載の調製物と少なくとも１つのポリオレフィンを含む熱可塑性プラスチック物品。
〔１４〕  上記〔１０〕に記載の調製物と少なくとも１つのポリオレフィンを含む熱可塑性プラスチック物品。
〔１５〕  前記ポリオレフィンがポリプロピレンである、上記〔１２〕に記載の熱可塑性プラスチック物品。
〔１６〕  前記ポリオレフィンがポリプロピレンである、上記〔１３〕に記載の熱可塑性プラスチック物品。
〔１７〕  前記ポリオレフィンがポリプロピレンである、上記〔１４〕に記載の熱可塑性プラスチック物品。
〔１８〕  前記調製物が粉末、ペレット、または液体から成る群から選択される形態で存在し、前記組成物が少なくとも１つの熱可塑性プラスチックポリマーをも含む、上記〔１〕に記載のポリマー添加剤調製物。
〔１９〕  前記調製物が粉末、ペレット、または液体から成る群から選択される形態で存在し、前記組成物が少なくとも１つの熱可塑性プラスチックポリマーをも含む、上記〔２〕に記載のポリマー添加剤調製物。
〔２０〕  前記調製物が粉末、ペレット、または液体から成る群から選択される形態で存在し、前記組成物が少なくとも１つの熱可塑性プラスチックポリマーをも含む、上記〔１０〕に記載のポリマー添加剤調製物。
〔２１〕  構造式Ｉ
【化４】
2007509196.tif 000008
〔式中、Ｒ１、Ｒ２、Ｒ３、Ｒ４、Ｒ５、Ｒ６、Ｒ７、Ｒ８、Ｒ９、及びＲ１０は水素、Ｃ１〜Ｃ９アルキル、ヒドロキシ、Ｃ１〜Ｃ９アルコキシ、Ｃ１〜Ｃ９アルキレンオキシ、アミン、及びＣ１〜Ｃ９アルキルアミン、ハロゲン、フェニル、アルキルフェニル、及び最大９個の炭素原子を有するジェミナルまたはビシナルの炭素環から成る群から個々に選択され、Ｒ’及びＲ”は同一かまたは異なり、水素、Ｃ１〜Ｃ３０アルキル、ヒドロキシ、アミン、ポリアミン、ポリオキシアミン、Ｃ１〜Ｃ３０アルキルアミン、フェニル、ハロゲン、Ｃ１〜Ｃ３０アルコキシ、Ｃ１〜Ｃ３０ポリオキシアルキル、Ｃ（Ｏ）−ＮＲ１１Ｃ（Ｏ）Ｏ−Ｒ’’’、及びＣ（Ｏ）Ｏ−Ｒ’’’から成る群から個々に選択され、Ｒ１１はＣ１〜Ｃ３０アルキル、水素、Ｃ１〜Ｃ３０アルコキシ、及びＣ１〜Ｃ３０ポリオキシアルキルから成る群から選択され、Ｒ’’’は水素、金属イオン（制限無くＮａ＋、Ｋ＋、Ｌｉ＋、Ａｇ＋及びその他の一価イオン等）、有機カチオン（１つの限定されない例としてアンモニウム等）、ポリオキシ−Ｃ２〜Ｃ１８−アルキレン、Ｃ１〜Ｃ３０アルキル、Ｃ１〜Ｃ３０アルキレン、Ｃ１〜Ｃ３０アルキレンオキシ、ステロイド部分（例えばコレステロール）、フェニル、ポリフェニル、Ｃ１〜Ｃ３０ハロゲン化アルキル、及びＣ１〜Ｃ３０アルキルアミンから成る群から選択され、Ｒ’及びＲ”の少なくとも１つはＣ（Ｏ）−ＮＲ１１Ｃ（Ｏ）Ｏ−Ｒ’’’またはＣ（Ｏ）Ｏ−Ｒ’’’であり、Ｒ’とＲ”の両方がＣ（Ｏ）Ｏ−Ｒ’’’である場合、Ｒ’及びＲ”の両方のＲ’’’が単一の二価金属イオン（１つの限定されない例としてＣａ２＋等）または単一の三価金属オーバーベース（１つの限定されない例としてＡｌ−ＯＨ等）に一体化されてもよい〕
で示される少なくとも１つの小粒度核剤化合物と、少なくとも１つの固化防止剤を含む、熱可塑性プラスチック。
〔２２〕  前記小粒度造核化合物が構造式ＩＩ
【化５】
2007509196.tif 000009
〔式中、Ｍ１及びＭ２は同一かまたは異なり、金属カチオンまたは有機カチオンから成る群から独立して選択されるか、または該２つの金属イオンは単一の金属イオンにまとめられ（二価、例えばカルシウム等）、Ｒ１、Ｒ２、Ｒ３、Ｒ４、Ｒ５、Ｒ６、Ｒ７、Ｒ８、Ｒ９、及びＲ１０は水素、Ｃ１〜Ｃ９アルキル、ヒドロキシ、Ｃ１〜Ｃ９アルコキシ、Ｃ１〜Ｃ９アルキレンオキシ、アミン、及びＣ１〜Ｃ９アルキルアミン、ハロゲン、フェニル、アルキルフェニル、及び最大９個の炭素原子を有するジェミナルまたはビシナルの炭素環から成る群から個々に選択され、好ましくは、金属カチオンはカルシウム、ストロンチウム、バリウム、マグネシウム、アルミニウム、銀、ナトリウム、リチウム、ルビジウム、カリウム等から成る群から選択される〕
で示される、上記〔２１〕に記載の調製物。
〔２３〕  前記金属カチオンまたは有機カチオンが、グループＩ及びグループＩＩの金属イオンから成る群から選択される金属カチオンである、上記〔２１〕に記載の調製物。
〔２４〕  前記金属カチオンが、ナトリウム、カリウム、カルシウム、リチウム、ルビジウム、バリウム、マグネシウム、ストロンチウム、銀、亜鉛、及びアルミニウムから成る群から選択される、上記〔２３〕に記載の調製物。
〔２５〕  前記金属カチオンがナトリウムである、上記〔２４〕に記載の調製物。
〔２６〕  前記固化防止剤が、シリカゲル、タルク、ジヒドロタルサイト、金属カルボン酸、及びこれらの任意の混合物から選択される、上記〔２１〕に記載の熱可塑性プラスチック。
〔２７〕  前記固化防止剤がシリカゲルである、上記〔２６〕に記載の熱可塑性プラスチック。
〔２８〕  前記熱可塑性プラスチックがポリオレフィンを含む、上記〔２１〕に記載の熱可塑性プラスチック物品。
〔２９〕  前記熱可塑性プラスチックがポリオレフィンを含む、上記〔２２〕に記載の熱可塑性プラスチック物品。
〔３０〕  前記熱可塑性プラスチックがポリオレフィンを含む、上記〔２６〕に記載の熱可塑性プラスチック物品。
〔３１〕  前記ポリオレフィンがポリプロピレンである、上記〔２８〕に記載の熱可塑性プラスチック物品。
〔３２〕  前記ポリオレフィンがポリプロピレンである、上記〔２９〕に記載の熱可塑性プラスチック物品。
〔３３〕  前記ポリオレフィンがポリプロピレンである、上記〔３０〕に記載の熱可塑性プラスチック物品。